(57)【要約】【課題】訴求効果の高い広告情報を容易に提示可能な情報表示装置、情報表示プログラム、プログラム記録媒体及び情報表示方法を提供する。【解決手段】仮想３次元空間上に表示する広告画面の形状を定義するための形状定義情報を含む広告画面定義情報を管理する広告画面定義情報管理部３と、広告画面の仮想３次元空間上での動作を定義する動作定義情報を管理する動作定義情報管理部４と、広告画面上に表示する広告を含む広告情報を管理する広告情報管理部２と、広告画面定義情報、動作定義情報及び広告情報を組み合わせるためのシナリオ情報を管理するシナリオ情報管理部６と、シナリオ情報に基づいて、該当する広告画面定義情報、動作定義情報及び広告情報とを組み合わせ、仮想３次元空間上に広告画面を表示する表示制御部７とを設ける。【選択図】  図１
2004178086.tif 000002
【特許請求の範囲】
【請求項１】
仮想３次元空間を表示し、さらに該仮想３次元空間上に情報を表示する情報表示装置であって、
前記仮想３次元空間上に表示する情報表示画面の形状を定義するための形状定義情報を含む表示画面定義情報を記憶する表示画面定義情報記憶手段と、
前記情報表示画面の前記仮想３次元空間上での動作を定義する動作定義情報を記憶する動作定義情報記憶手段と、
前記情報表示画面上に表示する広告を含む広告情報を記憶する広告情報記憶手段と、
前記表示画面定義情報、前記動作定義情報及び前記広告情報の組み合わせを示す組み合わせ情報を記憶する組み合わせ情報記憶手段と、
前記組み合わせ情報に基づいて、該当する表示画面定義情報、動作定義情報及び広告情報とを組み合わせ、前記仮想３次元空間上に前記情報表示画面を表示する表示手段と
を有することを特徴とする情報表示装置。
【請求項２】
前記表示手段は、所定の契機において前記情報表示画面を表示する手段であることを特徴とする請求項１に記載の情報表示装置。
【請求項３】
前記表示画面定義情報と、前記動作定義情報と、前記広告情報と、前記組み合わせ情報のうちの少なくとも１種類の情報を他の端末から受信する受信手段を有することを特徴とする請求項１又は２に記載の情報表示装置。
【請求項４】
前記表示画面定義情報と、前記動作定義情報と、前記広告情報と、前記組み合わせ情報のうちの少なくとも１種類の情報を他の端末へ送信する送信手段を有することを特徴とする請求項１乃至３のいずれか１項に記載の情報表示装置。
【請求項５】
コンピュータに仮想３次元空間を表示させ、さらに該仮想３次元空間上に情報を表示させるための情報表示プログラムであって、
前記コンピュータを、
前記仮想３次元空間上に表示する情報表示画面の形状を定義するための形状定義情報を含む表示画面定義情報を記憶する表示画面定義情報記憶手段と、
前記情報表示画面の前記仮想３次元空間上での動作を定義する動作定義情報を記憶する動作定義情報記憶手段と、
前記情報表示画面上に表示する広告を含む広告情報を記憶する広告情報記憶手段と、
前記表示画面定義情報、前記動作定義情報及び前記広告情報の組み合わせを示す組み合わせ情報を記憶する組み合わせ情報記憶手段と、
前記組み合わせ情報に基づいて、該当する表示画面定義情報、動作定義情報及び広告情報とを組み合わせ、前記仮想３次元空間上に前記情報表示画面を表示する表示手段
として機能させることを特徴とする情報表示プログラム。
【請求項６】
前記表示手段を、所定の契機において前記情報表示画面を表示する手段として機能させることを特徴とする請求項５に記載の情報表示プログラム。
【請求項７】
前記コンピュータを、前記表示画面定義情報と、前記動作定義情報と、前記広告情報と、前記組み合わせ情報のうちの少なくとも１種類の情報を他の端末から受信する受信手段として機能させることを特徴とする請求項５又は６に記載の情報表示プログラム。
【請求項８】
前記コンピュータを、前記表示画面定義情報と、前記動作定義情報と、前記広告情報と、前記組み合わせ情報のうちの少なくとも１種類の情報を他の端末へ送信する送信手段として機能させることを特徴とする請求項５乃至７のいずれか１項に記載の情報表示プログラム。
【請求項９】
請求項５乃至８のうちの少なくとも１項に記載の情報表示プログラムを記録したことを特徴とするプログラム記録媒体。
【請求項１０】
仮想３次元空間を表示し、さらに該仮想３次元空間上に情報を表示する情報表示方法であって、
前記仮想３次元空間上に表示する情報表示画面の形状を定義するための形状定義情報を含む表示画面定義情報を記憶する表示画面定義情報記憶ステップと、
前記情報表示画面の前記仮想３次元空間上での動作を定義する動作定義情報を記憶する動作定義情報記憶ステップと、
前記情報表示画面上に表示する広告を含む広告情報を記憶する広告情報記憶ステップと、
前記表示画面定義情報、前記動作定義情報及び前記広告情報の組み合わせを示す組み合わせ情報を記憶する組み合わせ情報記憶ステップと、
前記組み合わせ情報に基づいて、該当する表示画面定義情報、動作定義情報及び広告情報とを組み合わせ、前記仮想３次元空間上に前記情報表示画面を表示する表示ステップと
を有することを特徴とする情報表示方法。
【請求項１１】
前記表示ステップは、所定の契機において前記情報表示画面を表示するステップであることを特徴とする請求項１０に記載の情報表示方法。
【請求項１２】
前記表示画面定義情報と、前記動作定義情報と、前記広告情報と、前記組み合わせ情報のうちの少なくとも１種類の情報を他の端末から受信する受信ステップを有することを特徴とする請求項１０又は１１に記載の情報表示方法。
【請求項１３】
前記表示画面定義情報と、前記動作定義情報と、前記広告情報と、前記組み合わせ情報のうちの少なくとも１種類の情報を他の端末へ送信する送信ステップを有することを特徴とする請求項１０乃至１２のいずれか１項に記載の情報表示方法。
【発明の詳細な説明】
【０００１】
【発明の属する技術分野】
本発明は、仮想３次元空間を表示し、さらに該仮想３次元空間上に情報を表示する情報表示装置、情報表示プログラム、プログラム記録媒体及び情報表示方法に関する。
【０００２】
【従来の技術】
ＣＧ（Ｃｏｍｐｕｔｅｒ  Ｇｒａｐｈｉｃｓ）の分野においては、コンピュータのディスプレイ等に仮想３次元空間を表示する技術があり、これの発展型として、仮想３次元空間上にデジタル広告等を表示する技術がある（特許文献１参照）。
【０００３】
【特許文献１】
特開２０００−４００８８号公報（第６頁−第７頁、第１図）
【０００４】
【発明が解決しようとする課題】
しかしながら、上記の従来技術には以下に示すような解決すべき課題が存在する。
上記の従来の技術によれば、複数の広告を仮想３次元空間に同時に表示することで、大量の広告情報を短時間で閲覧することが可能である。
しかし、その広告は仮想３次元空間上に固定され、且つ静的であり、利用者がその情報を個別に精査するには、利用者が仮想３次元空間内を仮想的に移動する等の利用者の能動的な働きかけ必要があった。しかし、広告を利用者による広告の閲覧とは受動的な行為であり、必ずしもこのような能動的な働きかけは期待できず、表示した広告が十分な訴求効果を発揮できないケースが発生する場合がある。
【０００５】
一方、広告提供者の側にも、仮想３次元空間内に広告を表示するのであるから、訴求効果等のメリットを最大限に引き出したいという要求も発生し得る。この際、仮想３次元空間に複数の広告情報を表示し、たとえば利用者に対し複数の広告情報をある特定の順番で提示したいと考えた場合、仮想３次元空間の表示方法として、提示したい順番で広告情報を手前に引き出す等の演出を行えば、広告提供者の訴求意図に準拠して広告を提示することが可能となる。
【０００６】
また、このような広告について、一度非常に効果的な演出が作成できた場合、これを新しい広告に対して容易に再使用することができれば作成コストの削減、及び新規コンテンツの短期間での作成が可能となる。
【０００７】
このような事情に鑑み、本発明は、訴求効果の高い広告情報を容易に提示可能な情報表示装置、情報表示プログラム、プログラム記録媒体及び情報表示方法を提供することを目的とする。
【０００８】
【課題を解決するための手段】
請求項１に記載の本発明は、仮想３次元空間を表示し、さらに仮想３次元空間上に情報を表示する情報表示装置であって、仮想３次元空間上に表示する情報表示画面の形状を定義するための形状定義情報を含む表示画面定義情報を記憶する表示画面定義情報記憶手段と、情報表示画面の仮想３次元空間上での動作を定義する動作定義情報を記憶する動作定義情報記憶手段と、情報表示画面上に表示する広告を含む広告情報を記憶する広告情報記憶手段と、表示画面定義情報、動作定義情報及び広告情報の組み合わせを示す組み合わせ情報を記憶する組み合わせ情報記憶手段と、組み合わせ情報に基づいて、該当する表示画面定義情報、動作定義情報及び広告情報とを組み合わせ、仮想３次元空間上に情報表示画面を表示する表示手段とを有することを要旨とする。
【０００９】
請求項２に記載の本発明は、請求項１に記載の発明において、表示手段は、所定の契機において情報表示画面を表示する手段であることを要旨とする。
【００１０】
請求項３に記載の本発明は、請求項１又は２に記載の発明において、表示画面定義情報と、動作定義情報と、広告情報と、組み合わせ情報のうちの少なくとも１種類の情報を他の端末から受信する受信手段を有することを要旨とする。
【００１１】
請求項４に記載の本発明は、請求項１乃至３のいずれか１項に記載の発明において、表示画面定義情報と、動作定義情報と、広告情報と、組み合わせ情報のうちの少なくとも１種類の情報を他の端末へ送信する送信手段を有することを要旨とする。
【００１２】
請求項５に記載の本発明は、コンピュータに仮想３次元空間を表示させ、さらに仮想３次元空間上に情報を表示させるための情報表示プログラムであって、コンピュータを、仮想３次元空間上に表示する情報表示画面の形状を定義するための形状定義情報を含む表示画面定義情報を記憶する表示画面定義情報記憶手段と、情報表示画面の仮想３次元空間上での動作を定義する動作定義情報を記憶する動作定義情報記憶手段と、情報表示画面上に表示する広告を含む広告情報を記憶する広告情報記憶手段と、表示画面定義情報、動作定義情報及び広告情報の組み合わせを示す組み合わせ情報を記憶する組み合わせ情報記憶手段と、組み合わせ情報に基づいて、該当する表示画面定義情報、動作定義情報及び広告情報とを組み合わせ、仮想３次元空間上に情報表示画面を表示する表示手段として機能させることを要旨とする。
【００１３】
請求項６に記載の本発明は、請求項５に記載の発明において、表示手段を、所定の契機において情報表示画面を表示する手段として機能させることを要旨とする。
【００１４】
請求項７に記載の本発明は、請求項５又は６に記載の発明において、コンピュータを、表示画面定義情報と、動作定義情報と、広告情報と、組み合わせ情報のうちの少なくとも１種類の情報を他の端末から受信する受信手段として機能させることを要旨とする。
【００１５】
請求項８に記載の本発明は、請求項５乃至７のいずれか１項に記載の発明において、コンピュータを、表示画面定義情報と、動作定義情報と、広告情報と、組み合わせ情報のうちの少なくとも１種類の情報を他の端末へ送信する送信手段として機能させることを要旨とする。
【００１６】
請求項９に記載の本発明は、請求項５乃至８のうちの少なくとも１項に記載の情報表示プログラムを記録したことを要旨とする。
【００１７】
請求項１０に記載の本発明は、仮想３次元空間を表示し、さらに仮想３次元空間上に情報を表示する情報表示方法であって、仮想３次元空間上に表示する情報表示画面の形状を定義するための形状定義情報を含む表示画面定義情報を記憶する表示画面定義情報記憶ステップと、情報表示画面の仮想３次元空間上での動作を定義する動作定義情報を記憶する動作定義情報記憶ステップと、情報表示画面上に表示する広告を含む広告情報を記憶する広告情報記憶ステップと、表示画面定義情報、動作定義情報及び広告情報の組み合わせを示す組み合わせ情報を記憶する組み合わせ情報記憶ステップと、組み合わせ情報に基づいて、該当する表示画面定義情報、動作定義情報及び広告情報とを組み合わせ、仮想３次元空間上に情報表示画面を表示する表示ステップとを有することを要旨とする。
【００１８】
請求項１１に記載の本発明は、請求項１０に記載の発明において、表示ステップは、所定の契機において情報表示画面を表示するステップであることを要旨とする。
【００１９】
請求項１２に記載の本発明は、請求項１０又は１１に記載の発明において、表示画面定義情報と、動作定義情報と、広告情報と、組み合わせ情報のうちの少なくとも１種類の情報を他の端末から受信する受信ステップを有することを要旨とする。
【００２０】
請求項１３に記載の本発明は、請求項１０乃至１２のいずれか１項に記載の発明において、表示画面定義情報と、動作定義情報と、広告情報と、組み合わせ情報のうちの少なくとも１種類の情報を他の端末へ送信する送信ステップを有することを要旨とする。
【００２１】
【発明の実施の形態】
以下、図面を用いつつ本発明の情報表示装置、情報表示プログラム、プログラム記録媒体及び情報表示方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これに関する反復説明は省略する。
【００２２】
図１は、本発明の一実施の形態に係る情報表示装置１の構成を示すブロック図である。
情報表示装置１は、請求項に記載の広告情報記憶手段に含まれる広告情報管理部２と、請求項に記載の表示画面定義情報記憶手段に含まれる広告画面定義情報管理部３と、請求項に記載の動作定義情報記憶手段に含まれる動作定義情報管理部４と、仮想空間定義情報管理部５と、請求項に記載のシナリオ情報記憶手段に含まれるシナリオ情報管理部６と、請求項に記載の表示手段に含まれる表示制御部７及び表示部８と、請求項に記載の受信手段及び送信手段に含まれる情報送受信部９とを有し、ネットワーク１０を介してデータベース１２を有する広告配信装置１１と接続されている。
【００２３】
広告情報管理部２は、広告情報をネットワーク１０及び情報送受信部９を介して広告配信装置１１より受信し、これを管理する。
【００２４】
広告画面定義情報管理部３は、前述の広告情報を表示するための広告画面の定義に関する広告画面定義情報をネットワーク１０及び情報送受信部９を介して広告配信装置１１より受信し、これを管理する。
【００２５】
動作定義情報管理部４は、仮想３次元空間上における広告画面の動作を定めた動作定義情報をネットワーク１０及び情報送受信部９を介して広告配信装置１１より受信し、これを管理する。
【００２６】
仮想空間定義情報管理部５は、仮想３次元空間の定義に関する仮想空間定義情報をネットワーク１０及び情報送受信部９を介して広告配信装置１１より受信し、これを管理する。
【００２７】
シナリオ情報管理部６は、前記の広告情報、広告画面定義情報、動作定義情報及び仮想空間定義情報の組み合わせ、いわば広告を提示するにあたっての脚本（シナリオ）を示したシナリオ（組み合わせ）情報をネットワーク１０及び情報送受信部９を介して広告配信装置１１より受信し、これを管理する。
【００２８】
表示制御部７は、前記のシナリオ情報に基づいて、該当する広告情報、広告画面定義情報、動作定義情報及び仮想空間定義情報を各記憶部より読み出し、これらに基づいて表示部８に仮想３次元空間及び広告画面を表示する。
【００２９】
この表示制御部７は、広告提供者から指示を受信した場合や定められた時間等の所定の契機において広告画面を表示する。
【００３０】
例えば、広告提供者が特定の広告を××時○○分以降に提示したい場合、表示制御部７はこの時刻を予め記憶し、××時○○分になるとその広告が貼り付けられた（表示された）広告画面を表示する。
【００３１】
なお、上記のように広告画面を表示するにあたっては、広告情報、広告画面定義情報、動作定義情報、仮想空間定義情報及びシナリオ情報を事前に所定の管理部に記憶させておくことの他に、ネットワーク１０のトラフィックに応じて指定の時刻もしくはその直前に広告配信装置１１から必要な情報を入手するように設定することもできる。
なお、上記の広告情報、広告画面定義情報、動作定義情報、仮想空間定義情報及びシナリオ情報の詳細については後述する。
【００３２】
また、情報装置１は、上記の広告情報、広告画面定義情報、動作定義情報、仮想空間定義情報及びシナリオ情報を広告配信装置１１から受信するだけでなく、広告配信装置１１へ送信することも可能である。この際には、受信の場合と同じように情報送受信部９が機能する。
【００３３】
また、本実施の形態における情報送受信部９は、送信と受信の両方の機能を有する場合を示したが、これに限定されず、情報送受信部９を廃し、送信部と受信部のいずれか一方を有する構成とすることもできる。
【００３４】
また、本実施の形態においては、広告配信装置１１は、情報表示装置１とは別個の装置である場合を示したが、これに限定されず、情報表示装置１が広告配信装置１１もしくはこれと同様の装置を有する構成とすることもできる。
【００３５】
図２は、図１の情報処理装置１の情報管理構造を示す図である。
図１の情報管理装置１は、前述の５種類の情報を組として管理する。
図１の広告情報管理部２により管理される広告情報２１は、広告情報は、イメージデータ、テキストデータ等から成る広告であり、そのデータ名２１１等を含む。
【００３６】
図１の広告画面定義情報管理部３により管理される広告画面定義情報３１は、前述の広告を表示するための広告画面の形状、サイズ等の３次元オブジェクト定義３１１等を含む。なお、広告画面の形状としては、例えば薄い板状の直方体が挙げられる。
【００３７】
図１の動作定義情報管理部４により管理される動作定義情報４１は、広告画面が仮想３次元空間上でどのように動作するかを定義し、仮想３次元空間における初期位置に関する情報４１１、初期位置からの動作の軌跡及びイベントの定義に関する情報４１２等を含む。
【００３８】
なお、上記のイベントには、利用者の注意を喚起させるためのアニメーション、広告画面を軌跡の途中で透明度を増加させ消失させるといった表現手法等が含まれる。
【００３９】
図１の仮想空間定義情報管理部５により管理される仮想空間定義情報５１は、主に利用者の視点の初期位置に関する情報５１１、単数あるいは複数の光源の位置に関する情報５１２、背景色に関する情報５１３等が含まれる。
【００４０】
図１のシナリオ情報管理部６により管理されるシナリオ情報６１は、上記の４種類の情報を統括するもので、どの広告情報がどの形状の広告画面に貼り付けられ、この広告画面がどのような動きをし、またこれらの広告画面が表示される仮想３次元空間がどのようなものかを定義する。このシナリオ情報６１は、１個の広告情報と、これが貼り付けられる広告画面と、その広告画面の動作を規定する動作定義、そして広告画面が表示される仮想３次元空間の定義とのセットとして記述される。
【００４１】
このシナリオ情報の記述内容、つまり組み合わせは広告提供者の意図により自由に変更でき、また、シナリオ情報の各内容は、再使用できるため、訴求効果の高い広告を簡易且つ大量に作成・提示することが可能となり、さらに利用者の能動的な働きかけを必要とせずに高い訴求効果を発揮することが可能となる。
【００４２】
図３は、図２の情報管理構造の一例を示す図である。
この例によれば、イメージデータ名“Ｉｎｆｏ（ｉｄ＿００１）”２１１に描かれた広告情報“Ｉｍａｇｅ＿ｆｉｌｅ００１”２１１１は、“Ｓｃｅｎａｒｉｏ（ｉｄ＿００１）”６１の記述から、“Ｄｉｓｐｌａｙ（ｉｄ＿００１）”３１という形状の広告画面に貼り付けられ、“Ｍｏｖｅ（ｉｄ＿００１）”４１という軌跡にしたがって動作することが定義されている。また、この広告画面が表示される仮想３次元空間は“Ｓｐａｃｅ（ｉｄ＿００１）”５１により定義されている。
なお、３１１は“Ｄｉｓｐｌａｙ（ｉｄ＿００１）”３１のパラメータである。
【００４３】
また、４１１は“Ｍｏｖｅ（ｉｄ＿００１）”４１の初期位置に関するパラメータであり、４１２は軌跡及びイベントに関するパラメータである。
【００４４】
また、５１１はＳｐａｃｅ（ｉｄ＿００１）”５１の利用者の視点初期位置に関するパラメータであり、５１２は光源定義に関するパラメータであり、５１３は背景色定義に関するパラメータである。
【００４５】
また、６１１は、“Ｓｃｅｎａｒｉｏ（ｉｄ＿００１）”６１の各情報の組み合わせに関するパラメータである。
【００４６】
なお、本図においては、シナリオ情報、広告画面定義情報、仮想空間定義情報は、其々１個しか図示していないが、これに限定されず、本発明の情報表示装置は、情報の種類別に複数個の情報を管理することができる。
【００４７】
図４は、図１の情報表示装置の作用を示すシーケンス図である。
また、本図においては、送受信部９は、図１の広告配信装置１１に接続されていることを前提としている。
【００４８】
まず、シナリオ情報管理部６は、情報送受信部９を介してシナリオ情報を受信し、これを記憶する（Ｓ１ａ）。
【００４９】
また、仮想空間定義情報管理部５は、情報送受信部９を介して仮想空間定義情報を受信し、これを記憶する（Ｓ１ｂ）。
【００５０】
また、動作定義情報管理部４は、情報送受信部９を介して動作定義情報を受信し、これを記憶する（Ｓ１ｃ）。
【００５１】
また、広告画面定義情報管理部３は、情報送受信部９を介して広告画面定義情報を受信し、これを記憶する（Ｓ１ｄ）。
【００５２】
また、広告情報管理部２は、情報送受信部９を介して広告義情報を受信し、これを記憶する（Ｓ１ｅ）。
【００５３】
次に、表示制御部７は、シナリオ情報を読み出し（Ｓ２）、このシナリオ情報に基づいて、該当する仮想空間定義情報、動作定義情報、広告画面定義情報及び広告情報を読み出す（Ｓ３）。
【００５４】
次に、表示制御部７は、読み出した各情報に基づいて広告画面と仮想３次元空間とから成る表示画像を生成し、これを表示部８へ送信する（Ｓ４）。
【００５５】
次に、表示部８は表示画像を表示する（Ｓ５）。
【００５６】
なお、本実施の形態のおける情報表示装置は、シナリオ情報、仮想空間定義情報、動作定義情報、広告画面定義情報及び広告情報を広告配信装置から受信するが、これに限定されない。
【００５７】
なお、上記の情報表示装置としては、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、フレキシブルディスクドライブ、キーボード、ディスプレイ、通信ネットワークに接続して通信を行うための通信部等を有したコンピュータを用いることが可能であり、これにあたっては、前述の各部の機能を発現させるための情報表示プログラムが読み込まれ、実行される。したがって、この情報表示プログラムと、これを記録したフレキシブルディスク、ＣＤ−ＲＯＭ（Ｃｏｍｐａｃｔ  ＤｉｓｋＲｅａｄ  Ｏｎｌｙ  Ｍｅｍｏｒｙ）、ＰＣ（Ｐｅｒｓｏｎａｌ  Ｃｏｍｐｕｔｅｒ）カード等のプログラム記録媒体、そして上記の情報表示装置を用いた情報表示方法も本発明の範囲に含まれる。
【００５８】
【発明の効果】
以上のとおり、本発明の情報表示装置、情報表示プログラム及び情報表示方法は、表示画面定義情報、動作定義情報及び広告情報を自由に組み合わせることができ、また、この組み合わせを示す組み合わせ情報の各内容は再使用できるため、訴求効果の高い広告を簡易且つ大量に作成・提示することができ、さらに利用者の能動的な働きかけを必要とせずに高い訴求効果を発揮することができる。
【００５９】
また、所定の契機において情報表示画面を表示するため、より高い訴求効果を発揮することができる。
【００６０】
また、本発明のプログラム記録媒体は、上記の特徴を有する情報表示プログラムを記録しているため、これをコンピュータに読み込ませ、実行させることにより利便性に富んだ情報表示装置を容易に実現させることができる。
【００６１】
以上の点から、訴求効果の高い広告情報を容易に提示可能な情報表示装置、情報表示プログラム、プログラム記録媒体及び情報表示方法を提供するが可能となる。
【図面の簡単な説明】
【図１】本発明の情報表示装置の構成を示すブロック図である。
【図２】図１の情報処理装置の情報管理構造を示す図である。
【図３】図２の情報管理構造の一例を示す図である。
【図４】図１の情報表示装置の作用を示すシーケンス図である。
【符号の説明】
１  情報表示装置
２  広告情報管理部
３  広告画面定義情報管理部
４  動作定義情報管理部
５  仮想空間定義情報管理部
６  シナリオ情報管理部
７  表示制御部
８  表示部
９  情報送受信部
１０  ネットワーク
１１  広告配信装置
１２  データベース
【図１】
2004178086.tif 000003
【図２】
2004178086.tif 000004
【図３】
2004178086.tif 000005
【図４】
2004178086.tif 000006